【手続補正書】
【提出日】平成16年9月17日(2004.9.17)
【手続補正１】
【補正対象書類名】明細書
【補正対象項目名】０００３
【補正方法】変更
【補正の内容】
【０００３】
この加熱ローラの加熱源として、ハロゲンランプ等を用いこれを金属ローラの内側に設置し、このローラを輻射熱によって加熱する方式が一般的であるが、近年では、誘導加熱の手法を用いた定着装置として、定着ローラの回転軸に沿って設けられたコイル支持体に加熱コイルを巻いた形状でローラに渦電流を流して加熱する方式が提案されている。
【手続補正２】
【補正対象書類名】明細書
【補正対象項目名】０００４
【補正方法】変更
【補正の内容】
【０００４】
このような定着装置は、磁束により定着ローラに渦電流を発生させ、ジュール熱によって発熱させ、発熱位置をできるだけトナーに接近させることができ、またハロゲンランプを用いた熱ローラよりも消費エネルギーの効率アップが達成でき、しかも温度制御が容易に、かつ高精度に行うことができる。
【手続補正３】
【補正対象書類名】明細書
【補正対象項目名】００４０
【補正方法】変更
【補正の内容】
【００４０】
露光光学系１２は、別体のコンピュータ（不図示）から送られたメモリに記憶された各色の画像データに基づいて画像処理を施した後、一様に帯電した感光体ドラム１０に像露光を行い、感光体ドラム１０上に潜像を形成する。この実施形態で使用される発光素子の発光波長は、通常Ｙ、Ｍ、Ｃのトナーの透光性の高い６８０〜９００ｎｍの範囲のものが良好であるが、裏面から像露光を行うことからカラートナーに透光性を十分に有しないこれより短い波長でもよい。
【手続補正４】
【補正対象書類名】明細書
【補正対象項目名】００６０
【補正方法】変更
【補正の内容】
【００６０】
定着ローラ４１と対をなす下側の加圧ローラ４４は、例えばアルミ材を用いた芯金と、この芯金の外周面に、例えばシリコンゴム層或いはフッ素ゴム層や、シリコンゴムの発泡材を用いたスポンジ状の、厚さ（肉厚）５〜２０ｍｍ厚で、ゴム硬度が１０Ｈｓ〜４０Ｈｓ（ＪＩＳ、Ａゴム硬度）の厚肉ゴム層よりなるゴムローラ層を形成した、外径２５〜５０ｍｍ程度のソフトローラとして構成される。ゴムローラ層の外側（外周面）に離型性を有するＰＦＡ、ＰＴＦＡ等の耐熱性のフッ素樹脂のチューブ（不図示）を被覆した構成としてもよい。
【手続補正５】
【補正対象書類名】明細書
【補正対象項目名】００６１
【補正方法】変更
【補正の内容】
【００６１】
次に、この実施の形態の定着装置４０を、図２乃至図７に基づいて説明する。図２は定着装置の断面図、図３加熱コイルをコイル支持体に巻回した状態の斜視図、図４は図３のＩＶ−ＩＶ線に沿う断面図、図５は図３のＶ−Ｖ線に沿う断面図、図６は図３のＶＩ−ＶＩ線に沿う断面図、図７は定着ローラの長手方向の温度分布を示す図である。
【手続補正６】
【補正対象書類名】明細書
【補正対象項目名】００７０
【補正方法】変更
【補正の内容】
【００７０】
また、加熱コイル４３は、図１０に示すように、小径のワイヤ４３０を複数本集合させたものでもよく、図１０（ａ）は小判形であり、図１０（ｂ）は長方形であり、図１０（ｃ）は楕円形であり、図１０（ｄ）は卵形である。
【手続補正７】
【補正対象書類名】明細書
【補正対象項目名】００８３
【補正方法】変更
【補正の内容】
【００８３】
この実施の形態では、１本の加熱コイル４３が加熱コイル４３Ａ，４３Ｂに２分割されることから、図２５（ａ）に示すように同一形状に巻回すると、終端４３Ａ１，４３Ｂ１同士を接続した場合には端子４３Ａ２，４３Ｂ２が両方に分かれる。このため、図２５（ｂ）に示すように、終端４３Ａ１，４３Ｂ１を曲げて内部を通して中で接続すると、端子４３Ａ２，４３Ｂ２が同じ方向になる。
【手続補正８】
【補正対象書類名】明細書
【補正対象項目名】００８５
【補正方法】変更
【補正の内容】
【００８５】
この実施の形態の画像形成装置は、図１に示すように、一様に帯電した感光体ドラム１０に像露光を行い、感光体ドラム１０上に潜像を形成し、この潜像を現像してトナー像が形成し、このトナー像を転写材の記録紙Ｐに転写し、図２乃至図２５に示す定着装置４０でトナー像を定着する。
【手続補正９】
【補正対象書類名】明細書
【補正対象項目名】００８６
【補正方法】変更
【補正の内容】
【００８６】
この定着装置４０では、図２６に示すように、温度センサＳ１で定着ローラ４１を検出すると、図２７に示すように、ローラ長手方向の位置でほぼ同じ温度になり、ローラ長手方向端部の温度が従来のように温度低下が防止される。このように、小型かつ低コストで発熱領域を確保することができる定着装置４０を備えることで、その分画像形成装置の小型化かつ低コスト化が可能である。
【手続補正１０】
【補正対象書類名】明細書
【補正対象項目名】図面の簡単な説明
【補正方法】変更
【補正の内容】
【図面の簡単な説明】
【図１】
定着装置を用いる画像形成装置の一実施形態を示すカラー画像形成装置の断面構成図である。
【図２】
定着装置の断面図である。
【図３】
加熱コイルをコイル支持体に巻回した状態の斜視図である。
【図４】
図３のＩＶ−ＩＶ線に沿う断面図である。
【図５】
図３のＶ−Ｖ線に沿う断面図である。
【図６】
図３のＶＩ−ＶＩ線に沿う断面図である。
【図７】
定着ローラの長手方向の温度分布を示す図である。
【図８】
加熱コイルのコイル支持体長手方向と交差する方向での巻回を示す図である。    【図９】
加熱コイルの断面形状を示す図である。
【図１０】
小径のワイヤを複数本集合させた加熱コイルの断面形状を示す図である。
【図１１】
加熱コイルをコイル支持体に巻回した状態の斜視図である。
【図１２】
図１１のＸＩＩ−ＸＩＩ線に沿う断面図である。
【図１３】
図１１のＸＩＩＩ−ＸＩＩＩ線に沿う断面図である。
【図１４】
図１１のＸＩＶ−ＸＩＶ線に沿う断面図である。
【図１５】
加熱コイルのコイル支持体長手方向と交差する方向の巻き表面と定着ローラ内面との距離を示す図である。
【図１６】
加熱コイルのコイル支持体長手方向と交差する方向の巻き表面と定着ローラ内面との距離を示す他の実施例の図である。
【図１７】
加熱コイルの端子の引き出しを示す斜視図である。
【図１８】
コイル支持体の支持部の断面図である。
【図１９】
加熱コイルの端子の引き出しを示すコイル支持体の端部の斜視図である。
【図２０】
加熱コイルと定着ローラとの間に断熱層を形成した実施の形態を示す図である。
【図２１】
加熱コイルと定着ローラとの間に断熱層を形成した実施の形態を示す他の実施の形態の図である。
【図２２】
加熱コイルの熱を放出する手段の実施の形態を示す図である。
【図２３】
加熱コイルの熱を放出する手段の実施の形態を示す図である。
【図２４】
加熱コイルをコイル支持体に巻回した状態の他の実施の形態を示す図である。    【図２５】
１本の加熱コイルに接続する実施の形態の示す図である。
【図２６】
温度センサで定着ローラの温度検出を示す図である。
【図２７】
ローラ長手方向の位置の温度を示す図である。
【図２８】
従来の加熱コイルをコイル支持体に巻回した状態を示す図である。
【図２９】
従来の定着ローラの長手方向の温度分布を示す図である。
【手続補正１１】
【補正対象書類名】図面
【補正対象項目名】図１
【補正方法】変更
【補正の内容】
【図１】
2002139933.tif 000001
【手続補正１２】
【補正対象書類名】図面
【補正対象項目名】図２
【補正方法】変更
【補正の内容】
【図２】
2002139933.tif 000002
【手続補正１３】
【補正対象書類名】図面
【補正対象項目名】図３
【補正方法】変更
【補正の内容】
【図３】
2002139933.tif 000003
【手続補正１４】
【補正対象書類名】図面
【補正対象項目名】図１１
【補正方法】変更
【補正の内容】
【図１１】
2002139933.tif 000004
【手続補正１５】
【補正対象書類名】図面
【補正対象項目名】図２６
【補正方法】変更
【補正の内容】
【図２６】
2002139933.tif 000005